(57)【要約】【課題】ＣＥＯビート信号の検出感度を向上させてオフセット光周波数の安定した光周波数コムを実現する。【解決手段】光周波数コム安定化光源は、レーザーパルス光源１と、レーザーパルスの光スペクトル帯域を拡大させる非線形媒質２と、広スペクトル帯域光を長波長成分と短波長成分に波長２分岐する波長２分岐手段３と、広スペクトル帯域光の長波長成分の第二高調波を発生させる非線形光学結晶４と、広スペクトル帯域光の短波長成分の光路長を調整する時間差調整手段５と、長波長成分の第二高調波と短波長成分とを合波した後に２分岐する２分岐手段６と、２分岐された光を入力とし、ビート信号を検出するバランス受信器７と、ビート信号の周波数と所定の参照周波数とを比較してレーザーパルス光源１を制御する帰還回路８とから構成される。【選択図】  図１
2014135341.tif 000002
【特許請求の範囲】
【請求項１】
レーザーパルスを生成するレーザーパルス生成手段と、
このレーザーパルス生成手段により生成されたレーザーパルスの光スペクトル帯域を拡大させる非線形媒質と、
この非線形媒質により光スペクトル帯域が拡大された広スペクトル帯域光を長波長成分と短波長成分の２つの光に波長２分岐する波長２分岐手段と、
前記広スペクトル帯域光の長波長成分の第二高調波を発生させる非線形光学結晶と、
前記広スペクトル帯域光の短波長成分または長波長成分の光路長を調整する時間差調整手段と、
前記広スペクトル帯域光の長波長成分の第二高調波と前記広スペクトル帯域光の短波長成分とを合波した後に２分岐する２分岐手段と、
この２分岐手段によって２分岐された光を入力とし、ビート信号を検出するバランス受信手段と、
このバランス受信手段で検出されたビート信号の周波数と所定の参照周波数とを比較して、前記ビート信号の周波数が前記参照周波数と等しくなるように前記レーザーパルス生成手段を制御する帰還制御手段とを備えることを特徴とする光周波数コム安定化光源。
【請求項２】
レーザーパルスを生成するレーザーパルス生成手段と、
このレーザーパルス生成手段により生成されたレーザーパルスの光スペクトル帯域を拡大させる非線形媒質と、
この非線形媒質により光スペクトル帯域が拡大された広スペクトル帯域光の長波長成分の第二高調波を発生させる非線形光学結晶と、
この非線形光学結晶を通過した広スペクトル帯域光の短波長成分と長波長成分の第二高調波とを分離する偏光ビームスプリッターと、
前記広スペクトル帯域光の短波長成分または長波長成分の光路長を調整する時間差調整手段と、
前記広スペクトル帯域光の長波長成分の第二高調波と前記広スペクトル帯域光の短波長成分とを合波した後に２分岐する２分岐手段と、
この２分岐手段によって２分岐された光を入力とし、ビート信号を検出するバランス受信手段と、
このバランス受信手段で検出されたビート信号の周波数と所定の参照周波数とを比較して、前記ビート信号の周波数が前記参照周波数と等しくなるように前記レーザーパルス生成手段を制御する帰還制御手段とを備えることを特徴とする光周波数コム安定化光源。
【請求項３】
レーザーパルスを生成するレーザーパルス生成手段と、
このレーザーパルス生成手段により生成されたレーザーパルスの光スペクトル帯域を拡大させる非線形媒質と、
この非線形媒質により光スペクトル帯域が拡大された広スペクトル帯域光を長波長成分と短波長成分の２つの光に波長２分岐する波長２分岐手段と、
前記広スペクトル帯域光の短波長成分の第ｎ＋１高調波（ｎは１以上の整数）を発生させる第１の非線形光学結晶と、
前記広スペクトル帯域光の長波長成分の第ｎ＋２高調波を発生させる第２の非線形光学結晶と、
前記広スペクトル帯域光の短波長成分または長波長成分の光路長を調整する時間差調整手段と、
前記広スペクトル帯域光の長波長成分の第ｎ＋２高調波と前記広スペクトル帯域光の短波長成分の第ｎ＋１高調波とを合波した後に２分岐する２分岐手段と、
この２分岐手段によって２分岐された光を入力とし、ビート信号を検出するバランス受信手段と、
このバランス受信手段で検出されたビート信号の周波数と所定の参照周波数とを比較して、前記ビート信号の周波数が前記参照周波数と等しくなるように前記レーザーパルス生成手段を制御する帰還制御手段とを備えることを特徴とする光周波数コム安定化光源。
【請求項４】
レーザーパルスを生成するレーザーパルス生成手段と、
このレーザーパルス生成手段により生成されたレーザーパルスの光スペクトル帯域を拡大させる非線形媒質と、
この非線形媒質により光スペクトル帯域が拡大された広スペクトル帯域光の長波長成分と短波長成分のうち長波長成分の第二高調波を発生させる非線形光学結晶と、
この非線形光学結晶を通過した広スペクトル帯域光を２分岐する２分岐手段と、
この２分岐手段によって２分岐された光を入力とし、ビート信号を検出するバランス受信手段と、
このバランス受信手段で検出されたビート信号の周波数と所定の参照周波数とを比較して、前記ビート信号の周波数が前記参照周波数と等しくなるように前記レーザーパルス生成手段を制御する帰還制御手段とを備え、
前記非線形媒質は、群速度分散が略零の材料からなることを特徴とする光周波数コム安定化光源。
【請求項５】
レーザーパルスを生成するレーザーパルス生成手段と、
このレーザーパルス生成手段により生成されたレーザーパルスの光スペクトル帯域を拡大させる非線形媒質と、
この非線形媒質により光スペクトル帯域が拡大された広スペクトル帯域光の長波長成分と短波長成分のうち短波長成分の第ｎ＋１高調波（ｎは１以上の整数）を発生させる第１の非線形光学結晶と、
前記非線形媒質により光スペクトル帯域が拡大された広スペクトル帯域光の長波長成分と短波長成分のうち長波長成分の第ｎ＋２高調波を発生させる第２の非線形光学結晶と、
前記第１、第２の非線形光学結晶を通過した広スペクトル帯域光を２分岐する２分岐手段と、
この２分岐手段によって２分岐された光を入力とし、ビート信号を検出するバランス受信手段と、
このバランス受信手段で検出されたビート信号の周波数と所定の参照周波数とを比較して、前記ビート信号の周波数が前記参照周波数と等しくなるように前記レーザーパルス生成手段を制御する帰還制御手段とを備え、
前記非線形媒質は、群速度分散が略零の材料からなることを特徴とする光周波数コム安定化光源。
【請求項６】
請求項１乃至５のいずれか１項に記載の光周波数コム安定化光源において、
前記レーザーパルス生成手段は、所定の繰り返し周波数を有するレーザーパルスを生成する受動モード同期レーザーであり、
前記帰還制御手段は、前記受動モード同期レーザーの励起光強度を制御することを特徴とする光周波数コム安定化光源。
【請求項７】
請求項１乃至５のいずれか１項に記載の光周波数コム安定化光源において、
前記レーザーパルス生成手段は、
連続したレーザ光を発生するＣＷ光源と、
このＣＷ光源により生成されたレーザ光を所定の繰り返し周波数で位相変調する位相変調手段と、
この位相変調手段により位相変調された前記レーザ光に波長分散を与える波長分散付与手段とを備え、
前記帰還制御手段は、前記ＣＷ光源の波長を制御することを特徴とする光周波数コム安定化光源。
【請求項８】
レーザーパルス生成手段によりレーザーパルスを生成するレーザーパルス生成ステップと、
このレーザーパルス生成ステップで生成したレーザーパルスの光スペクトル帯域を拡大させる光スペクトル帯域拡大ステップと、
この光スペクトル帯域拡大ステップで光スペクトル帯域が拡大された広スペクトル帯域光を長波長成分と短波長成分の２つの光に波長２分岐する波長２分岐ステップと、
前記広スペクトル帯域光の長波長成分の第二高調波を発生させる長波長成分高調波発生ステップと、
前記広スペクトル帯域光の短波長成分または長波長成分の光路長を調整する時間差調整ステップと、
前記広スペクトル帯域光の長波長成分の第二高調波と前記広スペクトル帯域光の短波長成分とを合波した後に２分岐する２分岐ステップと、
この２分岐ステップで２分岐した光を入力とし、ビート信号を検出するバランス受信ステップと、
このバランス受信ステップで検出したビート信号の周波数と所定の参照周波数とを比較して、前記ビート信号の周波数が前記参照周波数と等しくなるように前記レーザーパルス生成手段を制御する帰還制御ステップとを備えることを特徴とする光周波数コム安定化方法。
【請求項９】
レーザーパルス生成手段によりレーザーパルスを生成するレーザーパルス生成ステップと、
このレーザーパルス生成ステップで生成したレーザーパルスの光スペクトル帯域を拡大させる光スペクトル帯域拡大ステップと、
この光スペクトル帯域拡大ステップで光スペクトル帯域が拡大された広スペクトル帯域光の長波長成分の第二高調波を発生させる長波長成分高調波発生ステップと、
前記広スペクトル帯域光の短波長成分と長波長成分の第二高調波とを分離する分離ステップと、
前記広スペクトル帯域光の短波長成分または長波長成分の光路長を調整する時間差調整ステップと、
前記広スペクトル帯域光の長波長成分の第二高調波と前記広スペクトル帯域光の短波長成分とを合波した後に２分岐する２分岐ステップと、
この２分岐ステップで２分岐した光を入力とし、ビート信号を検出するバランス受信ステップと、
このバランス受信ステップで検出したビート信号の周波数と所定の参照周波数とを比較して、前記ビート信号の周波数が前記参照周波数と等しくなるように前記レーザーパルス生成手段を制御する帰還制御ステップとを備えることを特徴とする光周波数コム安定化方法。
【請求項１０】
レーザーパルス生成手段によりレーザーパルスを生成するレーザーパルス生成ステップと、
このレーザーパルス生成ステップで生成したレーザーパルスの光スペクトル帯域を拡大させる光スペクトル帯域拡大ステップと、
この光スペクトル帯域拡大ステップで光スペクトル帯域が拡大された広スペクトル帯域光を長波長成分と短波長成分の２つの光に波長２分岐する波長２分岐ステップと、
前記広スペクトル帯域光の短波長成分の第ｎ＋１高調波（ｎは１以上の整数）を発生させる短波長成分高調波発生ステップと、
前記広スペクトル帯域光の長波長成分の第ｎ＋２高調波を発生させる長波長成分高調波発生ステップと、
前記広スペクトル帯域光の短波長成分または長波長成分の光路長を調整する時間差調整ステップと、
前記広スペクトル帯域光の長波長成分の第ｎ＋２高調波と前記広スペクトル帯域光の短波長成分の第ｎ＋１高調波とを合波した後に２分岐する２分岐ステップと、
この２分岐ステップで２分岐した光を入力とし、ビート信号を検出するバランス受信ステップと、
このバランス受信ステップで検出したビート信号の周波数と所定の参照周波数とを比較して、前記ビート信号の周波数が前記参照周波数と等しくなるように前記レーザーパルス生成手段を制御する帰還制御ステップとを備えることを特徴とする光周波数コム安定化方法。
【請求項１１】
レーザーパルス生成手段によりレーザーパルスを生成するレーザーパルス生成ステップと、
このレーザーパルス生成ステップで生成したレーザーパルスの光スペクトル帯域を非線形媒質により拡大させる光スペクトル帯域拡大ステップと、
この光スペクトル帯域拡大ステップで光スペクトル帯域が拡大された広スペクトル帯域光の長波長成分と短波長成分のうち長波長成分の第二高調波を非線形光学結晶により発生させる長波長成分高調波発生ステップと、
前記非線形光学結晶を通過した広スペクトル帯域光を２分岐する２分岐ステップと、
この２分岐ステップで２分岐した光を入力とし、ビート信号を検出するバランス受信ステップと、
このバランス受信ステップで検出したビート信号の周波数と所定の参照周波数とを比較して、前記ビート信号の周波数が前記参照周波数と等しくなるように前記レーザーパルス生成手段を制御する帰還制御ステップとを備え、
前記非線形媒質は、群速度分散が略零の材料からなることを特徴とする光周波数コム安定化方法。
【請求項１２】
レーザーパルス生成手段によりレーザーパルスを生成するレーザーパルス生成ステップと、
このレーザーパルス生成ステップで生成したレーザーパルスの光スペクトル帯域を非線形媒質により拡大させる光スペクトル帯域拡大ステップと、
この光スペクトル帯域拡大ステップで光スペクトル帯域が拡大された広スペクトル帯域光の長波長成分と短波長成分のうち短波長成分の第ｎ＋１高調波（ｎは１以上の整数）を第１の非線形光学結晶により発生させる短波長成分高調波発生ステップと、
前記光スペクトル帯域拡大ステップで光スペクトル帯域が拡大された広スペクトル帯域光の長波長成分と短波長成分のうち長波長成分の第ｎ＋２高調波を第２の非線形光学結晶により発生させる長波長成分高調波発生ステップと、
前記第１、第２の非線形光学結晶を通過した広スペクトル帯域光を２分岐する２分岐ステップと、
この２分岐ステップで２分岐した光を入力とし、ビート信号を検出するバランス受信ステップと、
このバランス受信ステップで検出したビート信号の周波数と所定の参照周波数とを比較して、前記ビート信号の周波数が前記参照周波数と等しくなるように前記レーザーパルス生成手段を制御する帰還制御ステップとを備え、
前記非線形媒質は、群速度分散が略零の材料からなることを特徴とする光周波数コム安定化方法。
【発明の詳細な説明】
【技術分野】
【０００１】
本発明は、光の周波数測定等に用いる光周波数コム安定化光源に関するものである。
【背景技術】
【０００２】
近年、モード同期レーザー技術の進展により、電気的方法で測定可能なマイクロ波以下のマイクロ波基準周波数を元に、光の周波数を直接測定する新しい技術が開発された（特許文献１、非特許文献１〜９参照）。モード同期レーザーのパルス列は光周波数コム（Comb）を形成し、レーザー繰り返し周波数ｆrepが光周波数コムのモード間隔になり、隣り合うレーザーパルス間のキャリアエンベロープ位相差Δφが光周波数コムのオフセット光周波数δと一定の関係δ＝（Δφ／２π）×ｆrepを持って成りたっている。これにより、レーザー繰り返し周波数ｆrepとキャリアエンベロープ位相差Δφを固定することができれば、光周波数コムの波長を安定化することができ、マイクロ波周波数を光の周波数領域にまでつなぐ周波数基準となるルーラーを実現することが可能となった（非特許文献１参照）。
【０００３】
このような光周波数コムの各モード１本１本の波長は、従来の光源では不可能であった１０-13以下という高確度なレベルで制御され、オフセット光周波数及び周波数間隔も独立に制御することができる。これらの特徴により、現在の技術は超精密な波長確度を必要とする光周波数計量に用いられるようになっている。
【０００４】
受動モード同期レーザーはパルスレーザー光を発振することができる。レーザーは、通常、光を増幅する利得媒質と、共振器長がＬの共振器とを有する。この共振器の縦モードの共振周波数はＣ／（２Ｌ）（ｃは光速）の整数倍である。そして、レーザーが発振するレーザー光のスペクトルの幅は非常に狭いが、そのレーザー光のスペクトル幅よりも共振器の共振周波数の間が狭いと、共振器において複数のモード（周波数）で共振する。このとき、各モードの位相を揃える（モード同期）ことにより、繰り返し周波数ｆrep＝Ｃ／（２Ｌ）でレーザー光が強められる。これにより、繰り返し周波数ｆrepのパルスレーザー光が生成される。
【０００５】
このモード同期レーザーにより発振されるパルスレーザー光は、図８のパルス包絡線で示すようなパルスが、時間軸上に等しい時間間隔で並ぶ。図８では、光搬送波電界が変化することによるパルスを、光搬送波電界の包絡線として示し、また、１つのパルスを示している。一方、周波数軸上においては、図９に示すように、等しい周波数間隔ｆrepで櫛状に並ぶ多数のモード（線スペクトル）の集合体となる。このように周波数軸上に櫛状に並ぶレーザー光の集合体は「光周波数コム」と呼ばれる。
【０００６】
一般に、パルス包絡線のピークと光搬送波電界のピークは常に一致しているわけではなく、時間的にシフトしていき、その変化も一定でない。パルス包絡線のピーク間の時間幅をＴとし、隣り合うパルスの、包絡線のピークから計った光搬送波電界位相のずれをΔφとすると、得られる光周波数コムのモード間隔ｆrepとＴとの間にはｆrep＝１／Ｔという関係があり、光周波数コムの各モードのスペクトル周波数はｆn＝ｎ×ｆrep＋δ（但し、ｎは整数）と表すことができる。ここでオフセット光周波数δは、δ＝（Δφ／２π）×ｆrepである。
【０００７】
キャリアエンベロープオフセット（Carrier Envelope Offset、以下、ＣＥＯ）ロック光周波数コムを生成する光周波数コム安定化光源の一般的な構成を図１０に示す。図１０において、１００は受動モード同期ファイバーレーザー増幅器、１０１〜１０４はλ／２波長板、１０５〜１０８はレンズ、１０９は高非線形ファイバ、１１０〜１１２はミラー、１１３はロングパスフィルタ、１１４はディレイ部、１１５はバンドパスフィルタ、１１６はＱＰＭ−ＬＮリッジ導波路、１１７は偏光ビームスプリッタ、１１８はグランレーザープリズム、１１９はアバランシェフォトダイオード、１２０は帰還回路である。
【０００８】
フォトニック結晶ファイバーなどの高非線形ファイバ１０９は、受動モード同期ファイバーレーザー増幅器１００からのレーザー光に自己位相変調を生じさせ、帯域１オクターブ以上の白色光を発生させる。そして、ＱＰＭ−ＬＮリッジ導波路１１６により白色光の長波長成分（ｆ1＝ｎ×ｆrep＋δ）の第２高調波を発生させると、その周波数は、ｆ2＝２×（ｎ×ｆrep＋δ）となる。また、白色光の短波長成分は、ｆ3＝２×ｎ×ｆrep＋δと表せる。偏光ビームスプリッタ１１７によって長波長成分の第２高調波と短波長成分の２つの光を結合して干渉させ、アバランシェフォトダイオード１１９でそのビート信号（うなり信号）を検出することにより、ｆ2とｆ3の周波数差ｆ2−ｆ3＝δの値を測定することができる。
【０００９】
帰還回路１２０は、このようにして測定したオフセット光周波数δを外部からのマイクロ波参照周波数と比較して得られるこれらのずれの大きさをもとに、受動モード同期ファイバーレーザー増幅器１００の共振器内の非線形分散量（非線形屈折率）にフィードバックをかけることで、光周波数コムのオフセット光周波数δを安定化する。一方、受動モード同期ファイバーレーザー増幅器１００の繰り返し周波数ｆrepは、このレーザ光を受光しているフォトダイオードからの繰り返し周波数信号をもとに、受動モード同期レーザーの共振器長にフィードバックをかけることにより、ある有限の範囲内に固定することが可能である。
【００１０】
このように、オフセット光周波数とモード周波数間隔とが一定な光周波数コムを生成する光周波数コム安定化光源が、共振器を備えた受動モード同期レーザーを基本構成として開発されている（特許文献１、非特許文献１〜９参照）。このような超高確度な波長を持つ光周波数コムが受動モード同期レーザー以外のレーザーパルス光源にも適用できれば、超精密分光や次世代コヒーレント通信等の新たな利用分野が飛躍的に広がることが期待できる。
なお、出願人は本明細書に記載した先行技術文献情報で特定される先行技術文献以外には、本発明に関連する先行技術文献を出願時までに発見するには至らなかった。
【先行技術文献】
【特許文献】
【００１１】
【特許文献１】特願２００７−２９１９０６号公報
【非特許文献】
【００１２】
【非特許文献１】D.J.Jones，S.A.Diddams，J.K.Ranka，A.Stentz，R.S.Windeler，J.L.Hall，andS.T.Cundiff，“Carrier-Envelope Phase Control of Femtosecond Mode-Locked Lasers and Direct Optical Freqency Synthesis”，Science，Vol.288，p.635-639，2000
【非特許文献２】R.Holzwarth，Th.Udem，T.W.Hansch，J.C.Knight，W.J.Wadsworth，and P.St.J.Russel，“Optical Freqency Synthesizer for Precision Spectroscopy”，Phys.Rev.Lett.，Vol.85，No.11，p.2264-2267，2000
【非特許文献３】K.Sugiyama，A.Onae，T.Ikegami，S.N.Slyusarev，F.L.Hong，K.Minoshima，H.Matsumoto，J.C.Knight，W.J.Wadsworth  and P.St.J.Russel，“Freqency Control of a Chirped-Mirror-Dispersion-Controlled Mode-Locked Ti：Al2Ｏ3 Laser for Comparison between Microwave and Optical Frequencies",Proc.SPIE，Vol.4269，p.95-104，2000
【非特許文献４】T.R.Schibli，K.Minoshima，F.-L.Hong，H.Inaba，A.Onae，H.Matsumoto，I.Hartl，and M.E.Fermann，“Freqency metrology with a turnkey all-fiber system”，Optics Lett.，Vol.29，No.21，p.2467-2469，2004
【非特許文献５】T.M.Fortier，A.Bartels，and S.A.Diddams，“Octave-spanning Ti：Sapphire laser with a repetition rate＞1 GHz for optical freqency measurements and comparisons”，Optics.Lett.，Vol.31，No.7，p.1011-1013，2006
【非特許文献６】I.Hartl，G.Imeshev，M.E.Fermann，C.Langrock，and M.M.Fejer，“Integrated self-referenced freqency-comb laser based on a combination of fiber and waveguide technology”，Optics Express，Vol.13，No.17，p.6490-6496，2005
【非特許文献７】A.Bartles，R.Gibs，M.S.Kirchner，and S.A.Diddams，“Spectrally resolved optical freqency comb from a self-referenced 5 GHz femtosecond laser”，Optics Lett.，Vol.32，No.17，p.2553-2555，2007
【非特許文献８】A.Ishizawa，T.Nishikawa，S.Aozasa，A.Mori，O.Tadanaga，M.Asobe，and H.Nakano，“Demonstration of carrier envelope offset locking with low pulse energy”，Opt.Express，Vol.16，No.7，p.4706-4712，2008
【非特許文献９】D.DingHuan，Z.Li，and X.YuXing，“75-femtosecond all-fiber ultrashort pulse laser”，Chinese Science Bulletin，Vol.53，No.13，p.1937-1940，2008
【発明の概要】
【発明が解決しようとする課題】
【００１３】
特許文献１、非特許文献１〜９に開示された従来の技術では、自己参照干渉計を用いて超広帯域光におけるＣＥＯビート信号を検出していた。超広帯域光はＡＳＥ（Amplified Spontaneous Emission）を初めとするインコヒーレントな背景光が広い周波数範囲にわたって重畳している光であり、超広帯域光の発生状態の変化によりＣＥＯビート信号の強度が時間的に揺らぐため、ＣＥＯビート信号の検出が困難になるという問題点があった。そのため、光周波数コム安定化可能な光源は受動モード同期レーザー（たとえば、チタンサファイアレーザー、Ｙｂファイバーレーザー、Ｅｒファイバーレーザーなど）のみで実現されている。
【００１４】
本発明は、上記課題を解決するためになされたもので、その目的は、ＡＳＥを初めとする広帯域でインコヒーレントな背景光の信号強度を抑圧することでＣＥＯビート信号の検出感度を向上させて、オフセット光周波数の安定した光周波数コムを実現可能とすることである。
【課題を解決するための手段】
【００１５】
本発明の光周波数コム安定化光源は、レーザーパルスを生成するレーザーパルス生成手段と、このレーザーパルス生成手段により生成されたレーザーパルスの光スペクトル帯域を拡大させる非線形媒質と、この非線形媒質により光スペクトル帯域が拡大された広スペクトル帯域光を長波長成分と短波長成分の２つの光に波長２分岐する波長２分岐手段と、前記広スペクトル帯域光の長波長成分の第二高調波を発生させる非線形光学結晶と、前記広スペクトル帯域光の短波長成分または長波長成分の光路長を調整する時間差調整手段と、前記広スペクトル帯域光の長波長成分の第二高調波と前記広スペクトル帯域光の短波長成分とを合波した後に２分岐する２分岐手段と、この２分岐手段によって２分岐された光を入力とし、ビート信号を検出するバランス受信手段と、このバランス受信手段で検出されたビート信号の周波数と所定の参照周波数とを比較して、前記ビート信号の周波数が前記参照周波数と等しくなるように前記レーザーパルス生成手段を制御する帰還制御手段とを備えることを特徴とするものである。
【００１６】
また、本発明の光周波数コム安定化光源は、レーザーパルスを生成するレーザーパルス生成手段と、このレーザーパルス生成手段により生成されたレーザーパルスの光スペクトル帯域を拡大させる非線形媒質と、この非線形媒質により光スペクトル帯域が拡大された広スペクトル帯域光の長波長成分の第二高調波を発生させる非線形光学結晶と、この非線形光学結晶を通過した広スペクトル帯域光の短波長成分と長波長成分の第二高調波とを分離する偏光ビームスプリッターと、前記広スペクトル帯域光の短波長成分または長波長成分の光路長を調整する時間差調整手段と、前記広スペクトル帯域光の長波長成分の第二高調波と前記広スペクトル帯域光の短波長成分とを合波した後に２分岐する２分岐手段と、この２分岐手段によって２分岐された光を入力とし、ビート信号を検出するバランス受信手段と、このバランス受信手段で検出されたビート信号の周波数と所定の参照周波数とを比較して、前記ビート信号の周波数が前記参照周波数と等しくなるように前記レーザーパルス生成手段を制御する帰還制御手段とを備えることを特徴とするものである。
【００１７】
また、本発明の光周波数コム安定化光源は、レーザーパルスを生成するレーザーパルス生成手段と、このレーザーパルス生成手段により生成されたレーザーパルスの光スペクトル帯域を拡大させる非線形媒質と、この非線形媒質により光スペクトル帯域が拡大された広スペクトル帯域光を長波長成分と短波長成分の２つの光に波長２分岐する波長２分岐手段と、前記広スペクトル帯域光の短波長成分の第ｎ＋１高調波（ｎは１以上の整数）を発生させる第１の非線形光学結晶と、前記広スペクトル帯域光の長波長成分の第ｎ＋２高調波を発生させる第２の非線形光学結晶と、前記広スペクトル帯域光の短波長成分または長波長成分の光路長を調整する時間差調整手段と、前記広スペクトル帯域光の長波長成分の第ｎ＋２高調波と前記広スペクトル帯域光の短波長成分の第ｎ＋１高調波とを合波した後に２分岐する２分岐手段と、この２分岐手段によって２分岐された光を入力とし、ビート信号を検出するバランス受信手段と、このバランス受信手段で検出されたビート信号の周波数と所定の参照周波数とを比較して、前記ビート信号の周波数が前記参照周波数と等しくなるように前記レーザーパルス生成手段を制御する帰還制御手段とを備えることを特徴とするものである。
【００１８】
また、本発明の光周波数コム安定化光源は、レーザーパルスを生成するレーザーパルス生成手段と、このレーザーパルス生成手段により生成されたレーザーパルスの光スペクトル帯域を拡大させる非線形媒質と、この非線形媒質により光スペクトル帯域が拡大された広スペクトル帯域光の長波長成分と短波長成分のうち長波長成分の第二高調波を発生させる非線形光学結晶と、この非線形光学結晶を通過した広スペクトル帯域光を２分岐する２分岐手段と、この２分岐手段によって２分岐された光を入力とし、ビート信号を検出するバランス受信手段と、このバランス受信手段で検出されたビート信号の周波数と所定の参照周波数とを比較して、前記ビート信号の周波数が前記参照周波数と等しくなるように前記レーザーパルス生成手段を制御する帰還制御手段とを備え、前記非線形媒質は、群速度分散が略零の材料からなることを特徴とするものである。
【００１９】
また、本発明の光周波数コム安定化光源は、レーザーパルスを生成するレーザーパルス生成手段と、このレーザーパルス生成手段により生成されたレーザーパルスの光スペクトル帯域を拡大させる非線形媒質と、この非線形媒質により光スペクトル帯域が拡大された広スペクトル帯域光の長波長成分と短波長成分のうち短波長成分の第ｎ＋１高調波（ｎは１以上の整数）を発生させる第１の非線形光学結晶と、前記非線形媒質により光スペクトル帯域が拡大された広スペクトル帯域光の長波長成分と短波長成分のうち長波長成分の第ｎ＋２高調波を発生させる第２の非線形光学結晶と、前記第１、第２の非線形光学結晶を通過した広スペクトル帯域光を２分岐する２分岐手段と、この２分岐手段によって２分岐された光を入力とし、ビート信号を検出するバランス受信手段と、このバランス受信手段で検出されたビート信号の周波数と所定の参照周波数とを比較して、前記ビート信号の周波数が前記参照周波数と等しくなるように前記レーザーパルス生成手段を制御する帰還制御手段とを備え、前記非線形媒質は、群速度分散が略零の材料からなることを特徴とするものである。
【００２０】
また、本発明の光周波数コム安定化光源の１構成例において、前記レーザーパルス生成手段は、所定の繰り返し周波数を有するレーザーパルスを生成する受動モード同期レーザーであり、前記帰還制御手段は、前記受動モード同期レーザーの励起光強度を制御することを特徴とするものである。
また、本発明の光周波数コム安定化光源の１構成例において、前記レーザーパルス生成手段は、連続したレーザ光を発生するＣＷ光源と、このＣＷ光源により生成されたレーザ光を所定の繰り返し周波数で位相変調する位相変調手段と、この位相変調手段により位相変調された前記レーザ光に波長分散を与える波長分散付与手段とを備え、前記帰還制御手段は、前記ＣＷ光源の波長を制御することを特徴とするものである。
【００２１】
また、本発明の光周波数コム安定化方法は、レーザーパルス生成手段によりレーザーパルスを生成するレーザーパルス生成ステップと、このレーザーパルス生成ステップで生成したレーザーパルスの光スペクトル帯域を拡大させる光スペクトル帯域拡大ステップと、この光スペクトル帯域拡大ステップで光スペクトル帯域が拡大された広スペクトル帯域光を長波長成分と短波長成分の２つの光に波長２分岐する波長２分岐ステップと、前記広スペクトル帯域光の長波長成分の第二高調波を発生させる長波長成分高調波発生ステップと、前記広スペクトル帯域光の短波長成分または長波長成分の光路長を調整する時間差調整ステップと、前記広スペクトル帯域光の長波長成分の第二高調波と前記広スペクトル帯域光の短波長成分とを合波した後に２分岐する２分岐ステップと、この２分岐ステップで２分岐した光を入力とし、ビート信号を検出するバランス受信ステップと、このバランス受信ステップで検出したビート信号の周波数と所定の参照周波数とを比較して、前記ビート信号の周波数が前記参照周波数と等しくなるように前記レーザーパルス生成手段を制御する帰還制御ステップとを備えることを特徴とするものである。
【００２２】
また、本発明の光周波数コム安定化方法は、レーザーパルス生成手段によりレーザーパルスを生成するレーザーパルス生成ステップと、このレーザーパルス生成ステップで生成したレーザーパルスの光スペクトル帯域を拡大させる光スペクトル帯域拡大ステップと、この光スペクトル帯域拡大ステップで光スペクトル帯域が拡大された広スペクトル帯域光の長波長成分の第二高調波を発生させる長波長成分高調波発生ステップと、前記広スペクトル帯域光の短波長成分と長波長成分の第二高調波とを分離する分離ステップと、前記広スペクトル帯域光の短波長成分または長波長成分の光路長を調整する時間差調整ステップと、前記広スペクトル帯域光の長波長成分の第二高調波と前記広スペクトル帯域光の短波長成分とを合波した後に２分岐する２分岐ステップと、この２分岐ステップで２分岐した光を入力とし、ビート信号を検出するバランス受信ステップと、このバランス受信ステップで検出したビート信号の周波数と所定の参照周波数とを比較して、前記ビート信号の周波数が前記参照周波数と等しくなるように前記レーザーパルス生成手段を制御する帰還制御ステップとを備えることを特徴とするものである。
【００２３】
また、本発明の光周波数コム安定化方法は、レーザーパルス生成手段によりレーザーパルスを生成するレーザーパルス生成ステップと、このレーザーパルス生成ステップで生成したレーザーパルスの光スペクトル帯域を拡大させる光スペクトル帯域拡大ステップと、この光スペクトル帯域拡大ステップで光スペクトル帯域が拡大された広スペクトル帯域光を長波長成分と短波長成分の２つの光に波長２分岐する波長２分岐ステップと、前記広スペクトル帯域光の短波長成分の第ｎ＋１高調波（ｎは１以上の整数）を発生させる短波長成分高調波発生ステップと、前記広スペクトル帯域光の長波長成分の第ｎ＋２高調波を発生させる長波長成分高調波発生ステップと、前記広スペクトル帯域光の短波長成分または長波長成分の光路長を調整する時間差調整ステップと、前記広スペクトル帯域光の長波長成分の第ｎ＋２高調波と前記広スペクトル帯域光の短波長成分の第ｎ＋１高調波とを合波した後に２分岐する２分岐ステップと、この２分岐ステップで２分岐した光を入力とし、ビート信号を検出するバランス受信ステップと、このバランス受信ステップで検出したビート信号の周波数と所定の参照周波数とを比較して、前記ビート信号の周波数が前記参照周波数と等しくなるように前記レーザーパルス生成手段を制御する帰還制御ステップとを備えることを特徴とするものである。
【００２４】
また、本発明の光周波数コム安定化方法は、レーザーパルス生成手段によりレーザーパルスを生成するレーザーパルス生成ステップと、このレーザーパルス生成ステップで生成したレーザーパルスの光スペクトル帯域を非線形媒質により拡大させる光スペクトル帯域拡大ステップと、この光スペクトル帯域拡大ステップで光スペクトル帯域が拡大された広スペクトル帯域光の長波長成分と短波長成分のうち長波長成分の第二高調波を非線形光学結晶により発生させる長波長成分高調波発生ステップと、前記非線形光学結晶を通過した広スペクトル帯域光を２分岐する２分岐ステップと、この２分岐ステップで２分岐した光を入力とし、ビート信号を検出するバランス受信ステップと、このバランス受信ステップで検出したビート信号の周波数と所定の参照周波数とを比較して、前記ビート信号の周波数が前記参照周波数と等しくなるように前記レーザーパルス生成手段を制御する帰還制御ステップとを備え、前記非線形媒質は、群速度分散が略零の材料からなることを特徴とするものである。
【００２５】
また、本発明の光周波数コム安定化方法は、レーザーパルス生成手段によりレーザーパルスを生成するレーザーパルス生成ステップと、このレーザーパルス生成ステップで生成したレーザーパルスの光スペクトル帯域を非線形媒質により拡大させる光スペクトル帯域拡大ステップと、この光スペクトル帯域拡大ステップで光スペクトル帯域が拡大された広スペクトル帯域光の長波長成分と短波長成分のうち短波長成分の第ｎ＋１高調波（ｎは１以上の整数）を第１の非線形光学結晶により発生させる短波長成分高調波発生ステップと、前記光スペクトル帯域拡大ステップで光スペクトル帯域が拡大された広スペクトル帯域光の長波長成分と短波長成分のうち長波長成分の第ｎ＋２高調波を第２の非線形光学結晶により発生させる長波長成分高調波発生ステップと、前記第１、第２の非線形光学結晶を通過した広スペクトル帯域光を２分岐する２分岐ステップと、この２分岐ステップで２分岐した光を入力とし、ビート信号を検出するバランス受信ステップと、このバランス受信ステップで検出したビート信号の周波数と所定の参照周波数とを比較して、前記ビート信号の周波数が前記参照周波数と等しくなるように前記レーザーパルス生成手段を制御する帰還制御ステップとを備え、前記非線形媒質は、群速度分散が略零の材料からなることを特徴とするものである。
【発明の効果】
【００２６】
本発明によれば、波長２分岐手段と非線形光学結晶と時間差調整手段と２分岐手段とバランス受信手段とからなるバランス受信光学系を用いた自己参照干渉計を用いることで、非線形媒質から発生する広スペクトル帯域光に含まれるＡＳＥを初めとする広帯域でインコヒーレントな背景光を抑圧することができ、ＣＥＯビート信号の信号対雑音比を高めて、ＣＥＯビート信号の検出感度を向上させることができ、オフセット光周波数の安定した光周波数コムを得ることができる。また、従来技術では、ＣＥＯロックは受動モード同期レーザーに光源が限定されていたが、本発明を使用すれば、受動モード同期レーザー以外のレーザーパルス光源を用いて光周波数コムの安定化を実現可能である。
【００２７】
また、本発明では、非線形光学結晶と偏光ビームスプリッターと時間差調整手段と２分岐手段とバランス受信手段とからなるバランス受信光学系を用いた自己参照干渉計を用いることで、非線形媒質から発生する広スペクトル帯域光に含まれるＡＳＥを初めとする広帯域でインコヒーレントな背景光を抑圧することができ、ＣＥＯビート信号の信号対雑音比を高めて、ＣＥＯビート信号の検出感度を向上させることができ、オフセット光周波数の安定した光周波数コムを得ることができる。また、本発明では、受動モード同期レーザー以外のレーザーパルス光源を用いて光周波数コムの安定化を実現可能である。
【００２８】
また、本発明では、波長２分岐手段と第１の非線形光学結晶と第２の非線形光学結晶と時間差調整手段と２分岐手段とバランス受信手段とからなるバランス受信光学系を用いた自己参照干渉計を用いることで、非線形媒質から発生する広スペクトル帯域光に含まれるＡＳＥを初めとする広帯域でインコヒーレントな背景光を抑圧することができ、ＣＥＯビート信号の信号対雑音比を高めて、ＣＥＯビート信号の検出感度を向上させることができ、オフセット光周波数の安定した光周波数コムを得ることができる。また、本発明では、受動モード同期レーザー以外のレーザーパルス光源を用いて光周波数コムの安定化を実現可能である。
【００２９】
また、本発明では、非線形光学結晶と２分岐手段とバランス受信手段とからなるバランス受信光学系を用いたコリニア自己参照干渉計を用いることで、ＣＥＯビート信号の検出感度を向上させることができ、オフセット光周波数の安定した光周波数コムを得ることができる。また、本発明では、受動モード同期レーザー以外のレーザーパルス光源を用いて光周波数コムの安定化を実現可能である。さらに、本発明では、非線形媒質を、群速度分散が略零の材料で構成することにより、光周波数コム安定化光源の小型化を実現することができる。
【００３０】
また、本発明では、第１、第２の非線形光学結晶と２分岐手段とバランス受信手段とからなるバランス受信光学系を用いたコリニア自己参照干渉計を用いることで、ＣＥＯビート信号の検出感度を向上させることができ、オフセット光周波数の安定した光周波数コムを得ることができる。また、本発明では、受動モード同期レーザー以外のレーザーパルス光源を用いて光周波数コムの安定化を実現可能である。さらに、本発明では、非線形媒質を、群速度分散が略零の材料で構成することにより、光周波数コム安定化光源の小型化を実現することができる。
【図面の簡単な説明】
【００３１】
【図１】本発明の第１の実施の形態に係る光周波数コム安定化光源の構成の一例を示すブロック図である。
【図２】本発明の第１の実施の形態の自己参照干渉法における強度雑音の抑圧効果を検証する検証実験のための装置構成を示すブロック図である。
【図３】従来の自己参照干渉計でのＲＦ信号測定結果およびバランス受信光学系を用いた自己参照干渉計でのＲＦ信号測定結果を示す図である。
【図４】本発明の第２の実施の形態に係る光周波数コム安定化光源の構成の一例を示すブロック図である。
【図５】本発明の第３の実施の形態に係る光周波数コム安定化光源の構成の一例を示すブロック図である。
【図６】本発明の第４の実施の形態に係る光周波数コム安定化光源の構成の一例を示すブロック図である。
【図７】本発明の第５の実施の形態に係る光周波数コム安定化光源の構成の一例を示すブロック図である。
【図８】光パルスの時間領域におけるキャリアエンベロープ位相を説明する図である。
【図９】光パルスの周波数領域における光周波数コムを説明する図である。
【図１０】一般的なＣＥＯロック光周波数コムの光学系素子の構成を示すブロック図である。
【発明を実施するための形態】
【００３２】
［第１の実施の形態］
以下、図面を参照して本発明の一実施の形態について詳細に説明する。図１は、本発明の第１の実施の形態に係る、バランス受信光学系を用いた光周波数コム安定化光源の構成の一例を示すブロック図である。この光周波数コム安定化光源は、レーザーパルスを生成するレーザーパルス光源１（レーザーパルス生成手段）と、レーザーパルス光源１により生成されたレーザーパルスの光スペクトル帯域を拡大させる非線形媒質２と、非線形媒質２により光スペクトル帯域が拡大された広スペクトル帯域光を長波長成分と短波長成分に波長２分岐する波長２分岐手段３と、広スペクトル帯域光の長波長成分の第二高調波を発生させる非線形光学結晶４と、広スペクトル帯域光の短波長成分の光路長を調整する時間差調整手段５と、非線形光学結晶４から出力された広スペクトル帯域光の長波長成分の第二高調波と時間差調整手段５から出力された広スペクトル帯域光の短波長成分とを合波した後に２分岐する２分岐手段６と、２分岐手段６によって２分岐された光を入力とし、ビート信号を検出するバランス受信器７（バランス受信手段）と、バランス受信器７で検出されたビート信号の周波数と所定の参照周波数とを比較して、ビート信号の周波数が参照周波数と等しくなるようにレーザーパルス光源１を制御する帰還回路８（帰還制御手段）とから構成される。
【００３３】
レーザーパルス光源１は、所定の繰り返し周波数ｆrepを有するレーザーパルスを出力する手段である。レーザーパルス光源１としては、例えば受動モード同期ファイバーレーザー発振器がある。また、ＣＷ光源と位相変調部とマイクロ波基準周波数発生器と波長分散付与部とを用い、マイクロ波基準周波数発生器から繰り返し周波数ｆrepの繰り返し基準信号を位相変調部に供給し、ＣＷ光源からのＣＷ光を位相変調部により繰り返し周波数ｆrepで位相変調し、この位相変調したＣＷ光に波長分散付与部で適切な波長分散を与えて繰り返し周波数ｆrepの光パルス列に変換することで、レーザーパルスを発生するレーザーパルス光源１を実現するようにしてもよい（特許文献１参照）。
【００３４】
レーザーパルス光源１により生成されたレーザーパルスは、非線形媒質２へ入力される。非線形媒質２は、レーザーパルスの光スペクトル帯域を拡大させた広スペクトル帯域光を発生させる。非線形媒質２として、非線形感受率の大きい材料を使用すれば、高効率に所望の広スペクトル帯域光を発生でき、光周波数コム安定化に必要となるレーザーパルス光源１からの供給エネルギーの最低閾値を低く抑制することが可能である。このような非線形媒質２としては、例えば石英フォトニック結晶ファイバー、テルライトフォトニック結晶ファイバー、高非線形性ファイバー等がある。
【００３５】
非線形媒質２を光伝搬することにより発生する広スペクトル帯域光には、ＡＳＥを初めとするインコヒーレントな背景光が重畳されており、この背景光は時間的に揺らいでいる。この背景光の存在は、ＣＥＯビート信号を検出する際に信号対雑音比が低い原因となる。広スペクトル帯域光を自己参照干渉計に入力し、そのうなり信号を検出することにより光周波数コムのＣＥＯ信号を測定することができる。
【００３６】
自己参照干渉計は、広スペクトル帯域光の帯域幅によって構成が異なる。例えば、広スペクトル帯域光の帯域が１オクターブ以上のときには、長波長成分の第二高調波と短波長成分の基本波とを干渉させるｆ‐２ｆ干渉法あるいは差周波発生法によってＣＥＯビート信号検出が可能である。一方、広スペクトル帯域光の帯域が１オクターブ未満のときには、長波長成分の第三高調波と短波長成分の第二高調波とを干渉させる２ｆ−３ｆ干渉法などが有効である。
【００３７】
図１は広スペクトル帯域光の帯域が１オクターブ以上のときでｆ−２ｆ干渉法を用いてＣＥＯビート信号を検出する構成例を示している。波長２分岐手段３と非線形光学結晶４と時間差調整手段５と２分岐手段６とバランス受信機７とは、自己参照干渉計を構成している。
【００３８】
波長２分岐手段３は、１オクターブ帯域以上の広スペクトル帯域光を長波長成分と短波長成分の２つの光に波長２分岐する。波長２分岐手段３としては、例えばダイクロイックビームスプリッター、ロングパスフィルター、ショートパスフィルター、ノッチフィルターなどがある。
【００３９】
広スペクトル帯域光の長波長成分は非線形光学結晶４に入力される。非線形光学結晶４は、長波長成分の第二高調波を発生させる。非線形光学結晶４としては、例えばＢＢＯ結晶、ＬＮ導波路などがある。
広スペクトル帯域光の短波長成分は時間差調整手段５に入力される。時間差調整手段５は、波長２分岐手段３から２分岐手段６までの長波長成分の光路長と波長２分岐手段３から２分岐手段６までの短波長成分の光路長とが等しくなるように短波長成分の光路長を調整することで、長波長成分の第二高調波と短波長成分との光路長差を調整する。
【００４０】
２分岐手段６は、非線形光学結晶４から出力された広スペクトル帯域光の長波長成分の第二高調波と時間差調整手段５から出力された広スペクトル帯域光の短波長成分とを合波した後に２分岐する。２分岐手段６としては、ビームスプリッターや光カプラーなどがある。
【００４１】
バランス受信機７は、２分岐手段６によって２分岐された光を入力とし、ＣＥＯビート信号（うなり信号）を検出する。バランス受信機７は、２分岐手段６によって２分岐された光のうち一方の光を受光するフォトダイオード（以下、ＰＤ）７０と他方の光を受光するＰＤ７１とからなり、ＰＤ７０の光電流出力とＰＤ７１の光電流出力との差をビート信号として出力するようになっている。広スペクトル帯域光の長波長成分ｆ1の第２高調波の周波数をｆ2、広スペクトル帯域光の短波長成分の周波数をｆ3とすると、そのビート信号の周波数、すなわちオフセット光周波数δはδ＝ｆ2−ｆ3となる。こうして、ビート信号を検出することにより、オフセット光周波数δの値を測定することができる。
【００４２】
バランス受信機７によるバランス型検出を有効にするためには、２つのＰＤ７０，ＰＤ７１のお互いの光電流出力が相殺されるように（すなわち、ＰＤ７０の光電流出力の平均値とＰＤ７１の光電流出力の平均値との差が最小になるように）、ＰＤ７０，ＰＤ７１に入力される光のパワーを予め調整しておく必要がある。
【００４３】
このような光パワーの強度バランス調整を行うためには、２分岐手段６の直前の２光路のうちの少なくとも一方、あるいは２分岐手段６の直後の２光路のうちの少なくとも一方にＮＤフィルター等を設けるようにすればよい。また、２分岐手段６として偏光ビームスプリッターを使用する場合には、２分岐手段６の直前の２光路に波長板を配置することで、ＰＤ７０，ＰＤ７１に入力される光のパワーを調整することも可能である。この光パワーの調整により、ＡＳＥを初めとする背景光の信号強度を抑圧することができ、大きなＤＣ信号上の小さな信号変動を検出できる点で有効である。
【００４４】
帰還回路８は、バランス受信機７で検出されたビート信号の周波数（オフセット光周波数δ）と外部から入力されるマイクロ波参照周波数（たとえばＧＰＳ信号の周波数）とを比較し、オフセット光周波数δがマイクロ波参照周波数と等しくなるようにレーザーパルス光源１を制御する。こうして、オフセット光周波数δが安定した状態で、レーザーパルス光源１から光周波数コムを得ることができる。
【００４５】
レーザーパルス光源１が受動モード同期レーザーの場合、帰還回路８は、受動モード同期レーザーの励起光強度を制御すればよい。また、レーザーパルス光源１がＣＷ光源と位相変調部とマイクロ波基準周波数発生器と波長分散付与部とからなる場合（特許文献１参照）、帰還回路８は、ＣＷ光源の波長を制御すればよい。ＣＷ光源の波長制御は、例えばＣＷ光源の注入電流あるいはＣＷ光源の温度を変化させることにより安定化制御可能である。
【００４６】
発明者は、超広帯域光に重畳しているＡＳＥを初めとする広帯域でインコヒーレントな背景光が同相モードとして振る舞うという知見を得た。そこで、本実施の形態では、同相モード成分を相殺するためにバランス受信光学系を導入した自己参照干渉計を用いることで、超広帯域光に含まれるＡＳＥを初めとする広帯域でインコヒーレントな背景光を相殺することができ、ＣＥＯビート信号の信号対雑音比を高めて、ＣＥＯビート信号の検出感度を向上させることができ、オフセット光周波数の安定した光周波数コムを得ることができる。また、本実施の形態では、受動モード同期レーザー以外のレーザーパルス光源を用いて光周波数コムの安定化を実現可能である。
【００４７】
図２は、本実施の形態の自己参照干渉法における強度雑音の抑圧効果を検証する検証実験のための装置構成を示すブロック図である。ここでは、レーザーパルス光源１として、ＣＷ光源と位相変調部とマイクロ波基準周波数発生器と波長分散付与部とからなる構成を用いる（特許文献１参照）。マイクロ波基準周波数発生器から繰り返し周波数２５ＧＨｚの繰り返し基準信号を位相変調部に供給し、ＣＷ光源からのＣＷ光を位相変調部により繰り返し周波数２５ＧＨｚで位相変調し、この位相変調したＣＷ光に波長分散付与部で適切な波長分散を与えることで、繰り返し周波数２５ＧＨｚの光パルス列を発生させる。繰り返し周波数２５ＧＨｚの光パルス列を繰り返し周波数１ＧＨｚの光パルス列に低減した後、非線形媒質２により広スペクトル帯域光を発生させる。ここでは、非線形媒質２としてテルライトフォトニック結晶ファイバーを用いた。
【００４８】
広スペクトル帯域光がバンドパスフィルター９を通過することにより、ビート信号計測時の波長が選択される。本検証実験では、広スペクトル帯域光とＣＷ波長可変光源１０からのＣＷ光との干渉計測を行う。２分岐手段６は、バンドパルスフィルター９で波長選択された繰り返し周波数１ＧＨｚの光パルス列とＣＷ波長可変光源１０からのＣＷ光とを合波した後に２分岐する。本検証実験では、２分岐手段６としてビームスプリッターを用いている。バランス受信機７は、２分岐手段６によって２分岐された光を入力とし、ＣＥＯビート信号を検出する。
【００４９】
図３（Ａ）、図３（Ｂ）はスペクトルアナライザーを使用してバランス受信機７の信号出力を測定した結果を示す図である。図３（Ａ）、図３（Ｂ）における１ＧＨｚ付近の信号は、広スペクトル帯域光の繰り返し光パルス列の信号を示している。図３（Ａ）は図２に示した構成において２分岐手段６からバランス受信機７へ入力する２系統の光のうち一方の光のみをバランス受信機７へ入力した場合、つまり、従来の自己参照干渉計を用いた場合の測定結果を示している。この場合、広スペクトル帯域光の雑音強度が大きいため、ＤＣ成分と繰り返し信号（１ＧＨｚ）の周波数に存在するビート信号を観測することができない。
【００５０】
一方、図３（Ｂ）は図２に示した構成における測定結果を示している。図３（Ｂ）の例では、０．３５ＧＨｚ付近の信号がＣＥＯビート信号、０．６５ＧＨｚ付近の信号が１ＧＨｚの繰り返し周波数とＣＥＯビート信号との差の周波数の干渉信号である。図３（Ｂ）によれば、バランス受信機７によって広スペクトル帯域光の背景光の強度が１７ｄＢ抑圧された結果、ＣＥＯビート信号が観測できることが分かる。なお、背景光強度の抑圧比は、受信回路や光学回路によって変化する。図２の構成を用いた検証実験の結果から、本実施の形態のようにバランス受信光学系を用いて自己参照干渉計測を行うようにすれば、雑音強度が大きいことが原因でＣＥＯビート信号検出が困難な場合に有効であることが分かる。
【００５１】
なお、本実施の形態では、時間差調整手段５によって短波長成分の光路長を調整しているが、これに限るものではなく、時間差調整手段５は、波長２分岐手段３から２分岐手段６までの長波長成分の光路長と波長２分岐手段３から２分岐手段６までの短波長成分の光路長とが等しくなるように長波長成分の光路長を調整してもよい。この場合、時間差調整手段５を、波長２分岐手段３と非線形光学結晶４との間に設けてもよいし、非線形光学結晶４と２分岐手段６との間に設けてもよい。
【００５２】
［第２の実施の形態］
次に、本発明の第２の実施の形態について説明する。図４は、本発明の第２の実施の形態に係る、バランス受信光学系を用いた光周波数コム安定化光源の構成の一例を示すブロック図であり、図１と同様の構成には同一の符号を付してある。レーザーパルス光源１と非線形媒質２については第１の実施の形態で説明したとおりである。非線形光学結晶１１と偏光ビームスプリッター１２と時間差調整手段５と２分岐手段６とバランス受信機７とは、自己参照干渉計を構成している。
【００５３】
非線形光学結晶１１は、非線形媒質２から出力された１オクターブ以上の広スペクトル帯域光の長波長成分の第二高調波を発生させる。広スペクトル帯域光の短波長成分の偏光方向と長波長成分の第二高調波の偏光方向とは直交しているため、非線形光学結晶１１を通過した広スペクトル帯域光を、偏光ビームスプリッター１２によって短波長成分と長波長成分の第二高調波とに分離することができる。
【００５４】
広スペクトル帯域光の短波長成分は時間差調整手段５に入力される。時間差調整手段５は、非線形光学結晶１１から２分岐手段６までの長波長成分の光路長と非線形光学結晶１１から２分岐手段６までの短波長成分の光路長とが等しくなるように短波長成分の光路長を調整することで、長波長成分の第二高調波と短波長成分との光路長差を調整する。なお、複屈折を用いた時間差調整手段を用いることにより、広スペクトル帯域光の長波長成分と長波長成分の第二高調波を共通光路にすることも可能である。
【００５５】
２分岐手段６は、偏光ビームスプリッター１２から出力された広スペクトル帯域光の長波長成分の第二高調波と時間差調整手段５から出力された広スペクトル帯域光の短波長成分とを合波した後に２分岐する。
バランス受信機７は、２分岐手段６によって２分岐された光を入力とし、第１の実施の形態で説明したようにＣＥＯビート信号を検出する。帰還回路８の動作は第１の実施の形態で説明したとおりである。
【００５６】
本実施の形態では、自己参照干渉計で用いる光学系を簡素化することができ、小型化可能であるため、光周波数コムのオフセット光周波数の長時間安定性にとって有効な構成例である。
本実施の形態では、時間差調整手段５によって短波長成分の光路長を調整しているが、これに限るものではなく、時間差調整手段５は、非線形光学結晶１１から２分岐手段６までの長波長成分の光路長と非線形光学結晶１１から２分岐手段６までの短波長成分の光路長とが等しくなるように長波長成分の光路長を調整してもよい。
【００５７】
［第３の実施の形態］
次に、本発明の第３の実施の形態について説明する。図５は、本発明の第３の実施の形態に係る、バランス受信光学系を用いた光周波数コム安定化光源の構成の一例を示すブロック図であり、、図１と同様の構成には同一の符号を付してある。レーザーパルス光源１と波長２分岐手段３については第１の実施の形態で説明したとおりである。波長２分岐手段３と非線形光学結晶１３，１４と時間差調整手段５と２分岐手段６とバランス受信機７とは、自己参照干渉計を構成している。本実施の形態では、非線形媒質２から１オクターブ未満の広スペクトル帯域光が出力される場合について説明する。
【００５８】
広スペクトル帯域光の短波長成分は非線形光学結晶１３に入力される。非線形光学結晶１３は、短波長成分の第ｎ＋１高調波（ｎは１以上の整数）を発生させる。
広スペクトル帯域光の長波長成分は非線形光学結晶１４に入力される。非線形光学結晶１４は、長波長成分の第ｎ＋２高調波を発生させる。
【００５９】
短波長成分の第ｎ＋１高調波は時間差調整手段５に入力される。時間差調整手段５は、波長２分岐手段３から２分岐手段６までの長波長成分の光路長と波長２分岐手段３から２分岐手段６までの短波長成分の光路長とが等しくなるように短波長成分の光路長を調整することで、短波長成分の第ｎ＋１高調波と長波長成分の第ｎ＋２高調波との光路長差を調整する。
【００６０】
２分岐手段６は、時間差調整手段５から出力された広スペクトル帯域光の短波長成分の第ｎ＋１高調波と非線形光学結晶１４から出力された広スペクトル帯域光の長波長成分の第ｎ＋２高調波とを合波した後に２分岐する。
バランス受信機７は、２分岐手段６によって２分岐された光を入力とし、第１の実施の形態で説明したようにＣＥＯビート信号を検出する。帰還回路８の動作は第１の実施の形態で説明したとおりである。
【００６１】
以上のように、本実施の形態では、広スペクトル帯域光の帯域が１オクターブ未満のときに、短波長成分の第ｎ＋１高調波（例えば第二高調波）と長波長成分の第ｎ＋２高調波（例えば第三高調波）とを干渉させる（ｎ＋１）ｆ−（ｎ＋２）ｆ干渉法によりＣＥＯビート信号を検出することができ、第１、第２の実施の形態のｆ−２ｆ干渉法と同様の効果を得ることができる。
【００６２】
なお、本実施の形態では、時間差調整手段５によって短波長成分の光路長を調整しているが、これに限るものではなく、時間差調整手段５は、波長２分岐手段３から２分岐手段６までの長波長成分の光路長と波長２分岐手段３から２分岐手段６までの短波長成分の光路長とが等しくなるように長波長成分の光路長を調整してもよい。時間差調整手段５を、波長２分岐手段３と非線形光学結晶１３との間に設けてもよいし、非線形光学結晶１３と２分岐手段６との間に設けてもよいし、波長２分岐手段３と非線形光学結晶１４との間に設けてもよいし、非線形光学結晶１４と２分岐手段６との間に設けてもよい。
【００６３】
［第４の実施の形態］
次に、本発明の第４の実施の形態について説明する。図６は、本発明の第４の実施の形態に係る、バランス受信光学系を用いた光周波数コム安定化光源の構成の一例を示すブロック図であり、図１、図４と同様の構成には同一の符号を付してある。レーザーパルス光源１については第１の実施の形態で説明したとおりである。非線形媒質２ａと非線形光学結晶１１と２分岐手段６ａとバランス受信機７とは、コリニア自己参照干渉計を構成している。
【００６４】
本実施の形態では、非線形媒質２ａとして群速度分散が略零の材料、もしくは長さが小さい高非線形ファイバを用いることにより、広スペクトル帯域光の長波長成分と短波長成分の時間差を少なくすることができ、第１〜第３の実施の形態で用いた時間差調整手段５のような遅延機構が不要となる。したがって、ファイバアップ段と遅延機構を不要とする構成を有することにより、光周波数コム安定化光源の小型化の実現を可能とする。
【００６５】
非線形光学結晶１１は、非線形媒質２ａから出力された１オクターブ以上の広スペクトル帯域光の長波長成分と短波長成分のうち長波長成分の第二高調波を発生させる。
２分岐手段６ａは、非線形光学結晶１１を通過した広スペクトル帯域光を２分岐する。
【００６６】
バランス受信機７は、２分岐手段６ａによって２分岐された光を入力とし、第１の実施の形態で説明したようにＣＥＯビート信号を検出する。帰還回路８の動作は第１の実施の形態で説明したとおりである。
本実施の形態では、第１、第２の実施の形態と比較して、自己参照干渉計で用いる光学系を簡素化することができ、光周波数コム安定化光源の小型化が可能である。
【００６７】
［第５の実施の形態］
次に、本発明の第５の実施の形態について説明する。図７は、本発明の第５の実施の形態に係る、バランス受信光学系を用いた光周波数コム安定化光源の構成の一例を示すブロック図であり、図１、図５と同様の構成には同一の符号を付してある。レーザーパルス光源１については第１の実施の形態で説明したとおりである。非線形媒質２ａと非線形光学結晶１３，１４と２分岐手段６ａとバランス受信機７とは、コリニア自己参照干渉計を構成している。本実施の形態では、非線形媒質２ａから１オクターブ未満の広スペクトル帯域光が出力される場合について説明する。
【００６８】
本実施の形態では、第４の実施の形態と同様に、非線形媒質２ａとして群速度分散が略零の材料、もしくは長さが小さい高非線形ファイバを用いる。
非線形光学結晶１３は、非線形媒質２ａから出力された１オクターブ未満の広スペクトル帯域光の長波長成分と短波長成分のうち短波長成分の第ｎ＋１高調波（ｎは１以上の整数）を発生させる。
非線形光学結晶１４は、非線形媒質２ａから出力された１オクターブ未満の広スペクトル帯域光の長波長成分と短波長成分のうち長波長成分の第ｎ＋２高調波を発生させる。
【００６９】
２分岐手段６ａは、非線形光学結晶１３と非線形光学結晶１４を通過した広スペクトル帯域光を２分岐する。
バランス受信機７は、２分岐手段６ａによって２分岐された光を入力とし、第１の実施の形態で説明したようにＣＥＯビート信号を検出する。帰還回路８の動作は第１の実施の形態で説明したとおりである。
本実施の形態では、第３の実施の形態と比較して、自己参照干渉計で用いる光学系を簡素化することができ、光周波数コム安定化光源の小型化が可能である。
【００７０】
以上、本発明のバランス受信光学系を用いた光周波数コム安定化光源によれば、従来方法では受動モード同期レーザーに限定されているＣＥＯビート信号検出方法及び光周波数コム安定化方法を雑音強度が大きいレーザーパルス光源にも適用することができるので、従来以上に光周波数コムの各モードを利用した通信分野や分光学分野の発展に寄与することができる。
【００７１】
以上、本発明の実施の形態である光周波数コム安定化光源の例について図面を参照して詳述したが、具体的な構成は第１〜第５の実施の形態に限られるものではなく、本発明の趣旨を逸脱しない範囲で設計の変更などがあってもこの発明に含まれる。
【産業上の利用可能性】
【００７２】
本発明は、光周波数コムのオフセット光周波数を安定化する技術に適用することができる。
【符号の説明】
【００７３】
１…レーザーパルス光源、２，２ａ…非線形媒質、３…波長２分岐手段、４，１１，１３，１４…非線形光学結晶、５…時間差調整手段、６，６ａ…２分岐手段、７…バランス受信器、８…帰還回路、１２…偏光ビームスプリッター、７０，７１…フォトダイオード。
【図１】
2014135341.tif 000003
【図２】
2014135341.tif 000004
【図３】
2014135341.tif 000005
【図４】
2014135341.tif 000006
【図５】
2014135341.tif 000007
【図６】
2014135341.tif 000008
【図７】
2014135341.tif 000009
【図８】
2014135341.tif 000010
【図９】
2014135341.tif 000011
【図１０】
2014135341.tif 000012